(57)【要約】【課題】  押釦錠の暗証番号をユーザーが任意に設定することができる新規な機械式の暗証番号設定機構を提供する。【解決手段】  押釦２、２を方眼状に配設し、選択された押釦２をおし下げることにより、その解錠切欠４を邪魔板５のレベルに揃えるようにしたものにおいて、全釦軸３、３を同じ長さにすると共に、長さ方向における一定の箇所を横断する切断面により、押釦と一体の釦軸３Ａと解錠切欠４を形成した釦軸３Ｂとに分断し、一方、釦軸３Ａには二つの、釦軸３Ｂには一つの切欠を形成すると共に、図３で左右方向に移動可能に案内され、釦軸３Ａ、３Ｂの切欠と係合可能な突起を有する止め板２６と釦軸３Ａ、３Ｂとの係合の態様を変化させることにより、釦軸３の長さを変える。【選択図】  図３
2010019056.tif 000002
【特許請求の範囲】
【請求項１】
細長い杆体である釦軸及びこの釦軸の外端に一体的に結合された押釦からなる押釦ユニットの複数を、外ケース内において一定の展開パターンで配設し、各押釦ユニットを、押釦を外ケースの表面から突出させた状態で、釦軸の長さ方向に移動可能に案内すると共に、押釦が外ケース表面から突出する方向に付勢し、一方、各釦軸の内端部に解錠切欠を同じ向きで形成し、他方、押釦ユニットの押釦を押し下げたとき、その押し下げられた釦軸の位置を各別に保持すると共に、リセット時押し下げられた全押釦ユニットを同時に解放するストッパー機構を設け、選択された押釦を押し下げたとき、全釦軸の解錠切欠が解錠レベルに位置するようにしたものにおいて、全釦軸を同じ長さにすると共に、長さ方向における一定の箇所を横断する切断面により、押釦と一体の釦軸Ａと解錠切欠を形成した釦軸Ｂとに分断し、各釦軸Ａに、向きを同じくして、押釦に近い方の第１係合切欠及び釦軸Ｂに近い方の第２係合切欠を、釦軸Ｂに第１及び第２係合切欠と同じ向きの第３係合切欠を夫々形成し、上記第１及び第２係合切欠の間隔を、上記選択された押釦の押し下げ量と同じに設定し、一方、上記釦軸Ａ、Ｂに垂直で、全押釦ユニットの展開パターンを覆うことができる厚板ブロック状の止め板ホルダーを外ケース内に設け、この止め板ホルダーに、押釦ユニット群と同じ展開パターンで釦軸Ａ、Ｂが挿通する案内孔を形成し、他方、各案内孔に連接して止め板収納孔を形成し、各止め板収納孔に、上記係合切欠と係合可能な係合突起の一対を形成した止め板を押釦ユニットに近接し或いは離間する方向に移動可能に収納すると共に、上記一対の係合突起の間隔を、夫々が選択されて押し下げられた釦軸Ａの第１係合切欠と釦軸Ｂの第３係合切欠とに係合したとき、釦軸Ｂの解錠切欠が上記解錠レベルになるように設定し、また、全止め板に同時に係合する止め板制御体及びこれと重合する態様で止め板制御体に連結されたキャリアーを止め板の移動方向と同じ方向に移動可能に案内すると共に、第１ばね部材により、止め板制御体を上記係合突起が押釦ユニットの係合切欠に係合する方向に付勢し、更にまた、上記第１ばね部材より大きい弾力の第２はね部材を、止め板制御体に関して第１ばね部材とは反対側において、止め板制御体とキャリアーとの間に弾装し、以て、暗証番号変更時、サムターン等の押釦錠操作部材の操作により、操作部材により制御される駆動機構、キャリアー、第２ばね部材及び止め板制御体を介して全止め板を押釦ユニットから離間する方向に駆動すると共に、ストッパー機構により全釦軸Ａを解放してそれまでの暗証番号をキャンセルし、この状態で新しく選択された押釦を押し下げ、操作部材の操作及び第１ばね部材の弾力により、キャリアー及びこれに連結された止め板を係合突起が係合切欠に係合する方向に移動させることにより新しい暗証番号を設定し、加えて、切替え装置の操作で止め板制御体を固定することにより、設定された暗証番号を固定できるようにしたことを特徴とする押し釦錠の暗証番号設定機構。
【発明の詳細な説明】
【技術分野】
【０００１】
この発明は、押釦錠の暗証番号設定機構（以下単に番号設定機構という）に係り、特に、１回の解錠及び再施錠毎に異なる暗証番号を設定することができる番号設定機構の運用方式（以下ワンタイム式という）と、複数回の解錠及び再施錠にわたって同一の暗証番号を使用できる運用方式（以下フルタイム式という）を切替えることができる新規な機械式の番号設定機構に関する。
【０００２】
なお、上記ワンタイム式の番号設定機構は、例えばゴルフ場のロッカーの扉用の押釦錠のように、複数の使用者が一つのロッカーを使用する場合に最適であり、フルタイム式の番号設定機構は、例えばオフィスのパーソナルロッカーのように、一人の使用者が特定のロッカーのみを使用する場合に最適である。
【背景技術】
【０００３】
この発明が適用される押釦錠の一般的な構成を以下に簡単に説明すると、例えば図１及び図２に示すように、複数（図示の実施例では１１個）の押釦２、２がケースの表面１において方眼状に配設されており、各押釦２及びこれに一体的に結合された釦軸３は、図示しない案内機構により図２において上下方向に移動可能に案内されると共に、上方に付勢されている。
【０００４】
上記押釦２の表面（図２において上面）には数字や符号等が標記されており、暗証番号（暗証符号）として選択された少なくとも１個の押釦を、押釦の付勢力に抗して、図２において指で押し下げることにより暗証番号を設定する。
【０００５】
この場合、選択され、押し下げられた押釦２、２は、図示しないストッパー機構により各別に押し下げられた位置に係止され、その位置を保持する。
【０００６】
一方、上記各釦軸３の内端部には解錠切欠４が同じ方向を向いて形成されており、暗証番号を設定するとき押し下げるべき釦軸３の解錠切欠４（図２で一番左側と３番目）は、押し下げられた状態で図２に示すように邪魔板５と同じレベルにある。
【０００７】
ここで、上記レベルとは、図２において上下方向における位置を言うものとし、暗証番号を設定するときその侭にすべき釦軸３の解錠切欠（図２において左側から２番目と４番目）４は、図２に示すように最初から邪魔板５と同じレベルにある。
【０００８】
他方、各釦軸３は邪魔板５において対応する挿通孔６を貫通しており、通常、押釦錠は、複数の選択された押釦を押し下げた後解錠のためのサムターン等の操作部材を操作する際、例えば邪魔板５が図１において上方に移動するように構成されているから、正しく暗証番号をセットしたときには、図２から明らかなように、邪魔板５の動きを阻止するものはなく、したがって操作部材によって錠止機構が解除され解錠するのである。
【特許文献１】特開２００３−２４９２０１
【特許文献２】特開２００３−３２８６１３
【特許文献３】特開２００６−２４１９３１
【発明の開示】
【発明が解決しようとする課題】
【０００９】
通常、押釦錠は各個毎に暗証番号（シリンダ錠における鍵違いに相当する）が異なり、上記特許文献１に記載されたものは、組立時、長い釦軸３と短い釦軸３とを当該押釦錠に割り当てられた暗証番号に応じて組込む。
【００１０】
したがって、特許文献１に記載された押釦錠は、使用者が暗証番号を自ら設定することはできない、という不都合がある。
【００１１】
一方、特許文献２に記載された押釦錠は、使用者が１回の解錠及び再施錠毎に異なる暗証番号を設定することができる（所謂ワンタイム式）が、例えばオフィスのパーソナルロッカーのように、一人の使用者が特定のロッカーのみを使用する場合には不便である。
【００１２】
他方、特許文献３に記載された押釦錠は、使用者が簡単に暗証番号を変更できるがフルタイム式なので、例えばゴルフ場のロッカーの扉用の押釦錠のように、複数の使用者が一つのロッカーを使用する押釦錠としては使用できない、という不都合がある。
【００１３】
なお、上記各種の押釦錠は、夫々特許文献１乃至３に詳細に記載されているから、更に詳細な説明は省略する。
【００１４】
この発明は、ワンタイム式とフルタイム式を切替えることができる新規な機械式の番号設定機構を提供することを目的としている。
【課題を解決するための手段】
【００１５】
上記の目的を達成するため、請求項１に記載の発明は、細長い杆体である釦軸及びこの釦軸の外端に一体的に結合された押釦からなる押釦ユニットの複数を、外ケース内において一定の展開パターンで配設し、各押釦ユニットを、押釦を外ケースの表面から突出させた状態で、釦軸の長さ方向に移動可能に案内すると共に、押釦が外ケース表面から突出する方向に付勢し、一方、各釦軸の内端部に解錠切欠を同じ向きで形成し、他方、押釦ユニットの押釦を押し下げたとき、その押し下げられた釦軸の位置を各別に保持すると共に、リセット時押し下げられた全押釦ユニットを同時に解放するストッパー機構を設け、選択された押釦を押し下げたとき、全釦軸の解錠切欠が解錠レベルに位置するようにしたものにおいて、全釦軸を同じ長さにすると共に、長さ方向における一定の箇所を横断する切断面により、押釦と一体の釦軸Ａと解錠切欠を形成した釦軸Ｂとに分断し、各釦軸Ａに、向きを同じくして、押釦に近い方の第１係合切欠及び釦軸Ｂに近い方の第２係合切欠を、釦軸Ｂに第１及び第２係合切欠と同じ向きの第３係合切欠を夫々形成し、上記第１及び第２係合切欠の間隔を、上記選択された押釦の押し下げ量と同じに設定し、一方、上記釦軸Ａ、Ｂに垂直で、全押釦ユニットの展開パターンを覆うことができる厚板ブロック状の止め板ホルダーを外ケース内に設け、この止め板ホルダーに、押釦ユニット群と同じ展開パターンで釦軸Ａ、Ｂが挿通する案内孔を形成し、他方、各案内孔に連接して止め板収納孔を形成し、各止め板収納孔に、上記係合切欠と係合可能な係合突起の一対を形成した止め板を押釦ユニットに近接し或いは離間する方向に移動可能に収納すると共に、上記一対の係合突起の間隔を、夫々が選択されて押し下げられた釦軸Ａの第１係合切欠と釦軸Ｂの第３係合切欠とに係合したとき、釦軸Ｂの解錠切欠が上記解錠レベルになるように設定し、また、全止め板に同時に係合する止め板制御体及びこれと重合する態様で止め板制御体に連結されたキャリアーを止め板の移動方向と同じ方向に移動可能に案内すると共に、第１ばね部材により、止め板制御体を上記係合突起が押釦ユニットの係合切欠に係合する方向に付勢し、更にまた、上記第１ばね部材より大きい弾力の第２はね部材を、止め板制御体に関して第１ばね部材とは反対側において、止め板制御体とキャリアーとの間に弾装し、以て、暗証番号変更時、サムターン等の押釦錠操作部材の操作により、操作部材により制御される駆動機構、キャリアー、第２ばね部材及び止め板制御体を介して全止め板を押釦ユニットから離間する方向に駆動すると共に、ストッパー機構により全釦軸Ａを解放してそれまでの暗証番号をキャンセルし、この状態で新しく選択された押釦を押し下げ、操作部材の操作及び第１ばね部材の弾力により、キャリアー及びこれに連結された止め板を係合突起が係合切欠に係合する方向に移動させることにより新しい暗証番号を設定し、加えて、切替え装置の操作で止め板制御体を固定することにより、設定された暗証番号を固定できるようにしたことを特徴とする。
【発明の効果】
【００１６】
上記のように構成されたこの発明による番号設定機構は、押釦錠操作機構により止め板と押釦ユニットの係合離脱を制御でき、この係合離脱及び選択された新しい押釦を押し下げることにより新しい暗証番号を設定できるので、使用者が所定の操作を行えば暗証番号の変更が可能であるという所期の効果を奏する。
【００１７】
また、切替え装置により止め板制御体を固定すれば、操作部材の操作に干渉することなく押釦ユニットと止め板との係合を固定できるので、１回の解錠及び再施錠毎に異なる暗証番号を設定することができる番号設定機構の運用方式（ワンタイム式）と、複数回の解錠及び再施錠にわたって同一の暗証番号を使用できる運用方式（フルタイム式）とを簡単に切替えることができる、という新規な押釦錠を提供できる。
【発明を実施するための最良の形態】
【００１８】
押釦ユニットと止め板との係合の態様を変化させることにより押釦ユニットの長さを変えるようにしたので、使用者が所定の操作を行えば暗証番号の変更が可能であり、また、切替え装置により止め板制御体を固定すれば、操作部材の操作に干渉することなく押釦ユニットと止め板との係合を固定できるので、ワンタイム式とフルタイム式の切替えが可能であり、しかも簡単である。
【実施例１】
【００１９】
以下、この発明の一実施例を図３乃至図  を参照して説明する。
図３及び図４において符号３Ａは釦軸Ａを、符号３Ｂは釦軸Ｂを夫々示し、これら釦軸３Ａ、３Ｂは、図２に示す釦軸３の長さ方向における一定の箇所を横断する切断面により分断したものである。
【００２０】
なお、図２に示す釦軸３は、選択された、換言すれば押し下げることにより暗証番号をセットするものは、選択されないものより長さが短いが、この発明においては、全押釦ユニット６、６（図６参照）にわたって同じ長さである。
【００２１】
また、図示の実施例においては、図５に示すように、押釦２の種類は１〜９の数字とＣ（アルファベット）及び＊（アスタリスク）の１２個であり、この内＊は例えば設定番号のキャンセルに用いるとしても、Ｃも暗証番号に組入れるが、この場合、すなわち＊を暗証番号に含むものも暗証符号といわず、暗証番号というものとする。
【００２２】
上記釦軸Ａ、Ｂの組を押釦ユニット６（図６参照）と総称することにし、図示の実施例では、図５に示すように、例えば１２個の押釦ユニット６、６が外ケース７（図５参照）において３列、４行の方眼状に配設されている。
【００２３】
また、図６に示すように、釦軸Ａの押釦２に近い方の端部（図６で下端部）には係止段部８が形成されており、更にまた、この係止段部８に連接して傾斜端縁部９が形成されている。
【００２４】
ちなみに、押釦２の案内部を兼ねる環状のばね収納同１０（図３参照）には、圧縮コイルばねとしての図示しないユニット付勢ばねが弾装されており、このユニット付勢ばねの弾力により、各押釦２は外ケース７の表面から突出する方向に付勢されている。
【００２５】
一方、外ケース７内で、外ケース７の表面側の部分（図６で下方）には、図７に示すように、押釦群２、２の展開パターン（図５参照）を覆うことができる大きさのストッパー板１１が配設されており、全体として図７で左右方向に移動可能に案内されている。
【００２６】
このストッパー板１１は、例えば厚さが２ｍｍ（粍）程度の弾性合成樹脂板をプレス加工によって打ち抜き、図８に示すように、夫々が数字の１〜９及びアルファベットのＣに対応する略Ｌ字形の１２個のばね片１２、１２が形成されている。
【００２７】
なお、図７及び図８においては、釦軸Ａ３Ａは剛性を増大させるため断面ト字形に成形されている。
【００２８】
このばね片１２は、図３及び図６においては図面を明瞭にするため略Ｚ字形に描かれている。
【００２９】
そして、選択された押釦２を図６に示すように押し下げる（図６では押上げる）と、釦軸Ａに形成された上記傾斜端縁部９とばね片１２の先端部との係合によりばね片１２が弾性変形して係止段部８がばね片１２の先端部に乗り上がるに致り、このようにして押釦２を押し下げることにより、当該押釦ユニットの解錠切欠４が邪魔板５と同レベルである解錠レベルに位置するようになる。
【００３０】
なお、その押し下げ位置は、係止段部８とばね片１２との係合によって、前記ユニット付勢ばねの弾力にこうして準安定的に保たれる。
【００３１】
一方、図６に示すように選択された押釦２、２を押し下げての解錠後、サムターン等の操作部材１４（図５及び図９参照）を回して掛金１５（図５及び図７乃至９参照）を図示しない係止部材から外す際、この掛金の動きに連動するストッパー制御機構１６（図７及び図８参照）によりストッパー板１１をストッパー付勢ばね１７、１７の弾力に抗して図８に示すリリース位置に迄動かし、この際全押釦軸３Ａ、３Ｂを解放して暗証番号の設定をキャンセルする。
【００３２】
なお、上記ストッパー制御機構の構成は、この発明の要旨ではないので、更に詳細な説明を省略する。
【００３３】
次に、本発明の要旨である押釦ユニット及びその変換機構について説明する。
図１３に示すように、各釦軸Ａ３Ａに、向きを同じくして、押釦２に近い方の第１係合切欠１８及び釦軸Ｂ３Ｂに近い方の第２係合切欠１９が、釦軸Ｂ３Ｂには第１及び第２係合切欠と同じ向きの第３係合切欠２１が夫々形成夫々形成されている。
【００３４】
そして、上記第１及び第２係合切欠１８、１９の間隔は、選択された押釦２の押し下げ量と同じに設定されている。
【００３５】
一方、図１０及び図１１に示すように、上記釦軸Ａ３Ａ、及び釦軸Ｂ３Ｂに垂直で、全押釦ユニットの展開パターンを覆うことができる厚板ブロック状の止め板ホルダー２２が外ケース７内に設けられている。
【００３６】
この止め板ホルダー２２に、押釦ユニット群と同じ展開パターンで釦軸Ａ３Ａ及び釦軸Ｂ３Ｂが挿通する案内孔２３が形成されている（図４参照）。
なお、図４においては、図面の煩雑さを避けるため、止め板ホルダー２２の、１個の押釦ユニットに相当する部分のみが描かれている。
【００３７】
他方、図４に示すように、各案内孔２３に連接して止め板収納孔２４が形成されており、各止め板収納孔２４には、前記第１乃至第３係合切欠１８、１９及び２１と係合可能な係合突起の一対２５、２５を形成した断面Ｌ字形の止め板２６が、押釦ユニットに近接し或いは離間する方向に移動可能に収納されている。
【００３８】
上記一対の係合突起２５、２５の間隔は、夫々が選択されて押し下げられた釦軸Ａ３Ａの第１係合切欠１８と釦軸Ｂ３Ｂの第３係合切欠２１とに係合したとき、釦軸Ｂ３Ｂの解錠切欠４が邪魔板５と同じレベルである前記解錠レベルになるように設定されている。
【００３９】
また、図１０及び図１１に示すように全体の形状が略山形の板状体である止め板制御体２７が、図４に示すように、その山形を構成する細長い３本の板状体が夫々止め板ホルダー２２を貫通するようにして、図１０及び図１１において上下方向に移動可能に案内されている。
【００４０】
そして、その側端縁に所定の間隔で形成された係合溝２８（図４参照）に、止め板収納孔２４内において止め板２６と係合させることにより、止め板制御体２７を介して、全止め板２６、２６を一体に結合している。
【００４１】
上記止め板制御体２７は、図１０及び図１１に示すように、止め板ホルダー２２を間に挟んだ態様で、これも板状のキャリアー２９に連結されている。
【００４２】
上記キャリアー２９は止め板制御体２７と同じく図１０及び図１１において上下方向に移動可能に案内されている。
【００４３】
そして、止め板制御体２７は、例えば圧縮コイルばねとしての第１ばね部材３１（図１０及び図１１参照）により、係合突起２５が押釦ユニットの係合切欠に係合する方向に付勢されている。
【００４４】
また、止め板制御体２７に関して第１ばね部材３１とは反対側において、止め板制御体２７とキャリアー２９との間に、上記第１ばね部材３１より大きい弾力の第２はね部材３２が弾装されている。
【００４５】
したがって、図６に示すように選択された押釦２、２を押し下げての解錠後、サムターン等の操作部材１４（図５及び図９参照）を回して掛金１５（図５及び図７乃至９参照）を図示しない係止部材から外す際、この掛金の動きに連動する止め板制御機構３３（図１０及び図１１参照）によりキャリアー２９を上下方向に駆動することができる。
【００４６】
なお、上記止め板制御機構３３によりキャリアー２９を上方に移動させるときには、弾力の大きい第２ばね部材は弾性変形しないので、止め板制御体２７とキャリアー２９との相対関係位置は変化しない。
【００４７】
上記止め板制御体２７とキャリアー２９との相対関係位置は、止め板制御体２７の先端（図１０で上端）と止め板ホルダー２２の付番しない係止段部との当接によって安定的に保たれる。
【００４８】
また、上記とは反対方向の操作部材の操作により止め板制御機構３３が下降するときには、第１ばね部材３１の弾力により、止め板制御体２７とキャリアー２９とは一体的に下降する。
【００４９】
上記のように構成されたこの発明の一実施例による番号設定機構につき、先ず前記ワンタイム式の作動モードを一つの押釦ユニットに注目して説明する。
【００５０】
図３は施錠状態で、選択された押し釦が押込まれておらず、押釦ユニットの解錠切欠４と邪魔板５が図３で上下にずれている。
【００５１】
このときには、操作部材１４（図５及び図９参照）を解錠方向に操作して邪魔板５を図３で右方に動かそうとしても、邪魔板５が釦軸Ｂ３Ｂの解錠切欠が形成されていない上端部に当接するので、掛金を動かすことができない。
【００５２】
解錠のため、図６に示すように選択された押釦２を押込むと、止め板２６を介して一体的に連結された釦軸Ａ３Ａ及び釦軸Ｂ３Ｂは一体的に上昇し、解錠切欠４が邪魔板５と同レベルの解錠レベルに迄上昇する。
【００５３】
選択された押釦を全部押込むと、図示の実施例では１１個の解錠切欠４、４が全て解錠レベルに揃う結果、操作部材を回しての解錠が可能になる。
【００５４】
図示の実施例では、操作部材１４を解錠方向に回すと、その回動の初期の段階において止め板制御体２７が図１１で上昇するから、図１２に示すように止め板２６が釦軸Ｂ３Ｂを係止した状態で右方に移動する。
【００５５】
すると、図示しない前記ユニット付勢ばねの弾力により、図１３に示すように、釦軸Ａ３Ａ及びこれと一体の押釦２が図１３で下方に飛び出し、この段階において暗証番号がキャンセルされる。
【００５６】
図１３は、また、解錠状態を示し、操作部材を更に解錠方向に回して掛金１５（図１０及び図１１参照）を例えばロッカーのストライクから外す。
【００５７】
ワンタイム式の作動モードにおいては、図１３に示す解錠状態において新しい暗証番号を設定する。
【００５８】
具体的には、新しく設定する暗証番号に応じて、各押釦を押動するか、或いは飛び出したままにする。
【００５９】
図１４は、飛び出した押釦ユニット６を再び選択した場合を示し、この場合押釦ユニットは図６に示す状態になるが未だ止め板２６は押釦ユニットに係合していない。
【００６０】
図示の実施例では、施錠のため操作部材１４を今までとは反対方向の施錠方向に回すと、図１１に示すように止め板制御体２７とキャリアー２９とが一体的に連結された状態で下降する。
【００６１】
この下降は、第１ばね部材３１の弾力により、止め板制御体２７とキャリアー２９とが一体的に止め板制御機構３３に従動する態様で行われる。
【００６２】
上記止め板制御体２７及びキャリアー２９の下降に連動して、各止め板２６が釦軸ユニット６に近接し、止め板２６の係合突起の一方２５が押釦軸Ｂ３Ｂの第３係合切欠に、他方が押釦軸Ａ３Ａの第１及び第２係合切欠１８、１９の内選択された切欠と係合し、選択された新しい暗証番号に切替えられて図３に示す施錠状態に戻る。
【００６３】
なお、図１５における押釦ユニット６は、止め板２６を介して止め板収納孔２４（図４参照）の底面に係止されているが、止め板２６が完全に押釦ユニット６と係合すると、押釦ユニット６は自由になり、前記図示しないユニット付勢ばねの弾力により、押釦ユニットの押釦２が図３に示すように突出する。
【００６４】
この発明による番号設定機構を前記フルタイム式で運用する、換言すれば暗証番号を変えられないようにするには、止め板制御体２７を固定してしまえばよい。
【００６５】
図示の実施例では、図１０及び図１１に示すように、止め板制御体２７の隅部に縦長のストッパー孔３４を開口させ、一方、このストッパー孔３４の近傍に紙面方向に延在する図示しない切替え杆を回動可能に配設する。
【００６６】
そして、図１６に示すように、この切替え杆３６の一端にスリワリを形成すると共にこれを外ケース７の裏面側に露呈させて、ドライバーにより例えば９０度回してワンタイム式とフルタイム式に切替えることができるようにする。
【００６７】
他方、切替え杆の他端面に偏芯ピン３５を植設し、この偏芯ピン３５を上記ストッパー孔３４と係合させる。
【００６８】
すると、図１０及び図１１に示すワンタイム式の運用では偏芯ピン３５は止め板制御体２７の上下動に対し干渉しないが、切替え杆３６を９０度回して図１１で偏芯ピン３５がストッパー孔３４の下端に位置するようにすれば止め板制御体２７は固定されるので止め板２６が釦軸ユニットから離れることはなく、したがって暗証番号を変更することができない。
【００６９】
このとき、操作部材を操作してキャリアー２９を上昇させると、止め板制御体２７が固定されていても、第２ばね部材３２が弾性変形して押し縮められるので、キャリアーだけが上昇する。
【図面の簡単な説明】
【００７０】
【図１】押釦錠の作動を説明するための線図的平面図。
【図２】押釦錠の作動を説明するための線図的一部断面側面図。
【図３】押釦ユニットの一部断面側面図で、施錠状態を示す。
【図４】止め板と釦軸との係合の態様を説明するための外観斜視図。
【図５】押釦錠の正面図。
【図６】図３と同様の押釦ユニットの一部断面側面図で、選択された押釦が押込まれた状態を示す。
【図７】ストッパー及びストッパー制御機構を示す線図。
【図８】図７と同様の線図で、押釦ユニットがストッパーから解放された状態を示す。
【図９】押釦錠の側面図。
【図１０】止め板制御体及び止め板制御機構を示す線図で、止め板が釦軸から離間している状態を示す。
【図１１】止め板制御体及び止め板制御機構を示す線図で、止め板が釦軸に近接している状態を示す。
【図１２】押釦ユニットの一部断面側面図で、止め板が離れている状態を示す。
【図１３】押釦ユニットの一部断面側面図で、止め板が離れており、かつ、押釦が飛出した状態を示す。
【図１４】押釦ユニットの一部断面側面図で、暗証番号変更のため選択された押釦を押込んだ状態を示す。
【図１５】押釦ユニットの一部断面側面図で、設定された暗証番号を固定するため止め板を填め込んだ状態を示す。
【図１６】押釦錠の裏面図。
【符号の説明】
【００７１】
１  ケースの表面
２  押釦
３  釦軸
４  解錠切欠
５  邪魔板
６  押釦ユニット
７  外ケース
８  係止段部
９  傾斜端縁部
１１  ストッパー板
１２  ばね片
１４  操作部材
１５  掛金
１６  ストッパー制御機構
１７  ストッパー付勢ばね
１８  第１係合切欠
１９  第２係合切欠
２１  第３係合切欠
２２  止め板ホルダー
２３  案内孔
２４  止め板収納孔
２５  係合突起
２６  止め板
２７  止め板制御体
２８  係合溝
２９  キャリアー
３１  第１ばね部材
３２  第２ばね部材
３３  止め板制御機構
３４  ストッパー孔
３５  偏芯ピン
３６  切替え杆
【図１】
2010019056.tif 000003
【図２】
2010019056.tif 000004
【図３】
2010019056.tif 000005
【図４】
2010019056.tif 000006
【図５】
2010019056.tif 000007
【図６】
2010019056.tif 000008
【図７】
2010019056.tif 000009
【図８】
2010019056.tif 000010
【図９】
2010019056.tif 000011
【図１０】
2010019056.tif 000012
【図１１】
2010019056.tif 000013
【図１２】
2010019056.tif 000014
【図１３】
2010019056.tif 000015
【図１４】
2010019056.tif 000016
【図１５】
2010019056.tif 000017
【図１６】
2010019056.tif 000018